(57)【要約】【課題】インパクトのタイミングをゴルフプレーヤーのスイングの癖に対応して適切なものとすることができるゴルフクラブセットを提供する。【解決手段】番手が大きくなるほどロフト角が大きくなる複数本のクラブよりなるアイアン又はユーティリティゴルフクラブセットにおいて、番手の途中の１本のクラブ（基準クラブ）は、オフセット量がほぼゼロであり、それよりも番手又はロフト角が小さいクラブはオフセット量が負であり、それよりも番手が大きいクラブはオフセット量が正であることを特徴とするゴルフクラブセット。前記オフセット量の絶対値は、基準クラブとの番手又はロフト角の差が多くなるほど大きい。【選択図】図１
2009106353.tif 000002
【特許請求の範囲】
【請求項１】
番手が大きくなるほどロフト角が大きくなる複数本のクラブよりなるアイアン又はユーティリティゴルフクラブセットにおいて、
番手の途中の１本のクラブ（以下、基準クラブという。）は、下記に定義されるオフセット量がほぼゼロであり、それよりも番手又はロフト角が小さいクラブはオフセット量が正であり、それよりも番手が大きいクラブはオフセット量が負であることを特徴とするゴルフクラブセット。
［オフセット量の定義：シャフトの軸心を含み飛球線方向と直交する面と、水平面上にソールした状態のヘッドフェース面と該水平面上のゴルフボールとの接触点との距離であり、該接触点が該面よりも飛球線方向前方にある場合を負とし、後方にある場合を正とする。］
【請求項２】
請求項１において、ゴルフクラブセットはアイアンクラブセットであって、前記基準クラブは、２〜４番アイアンの中の一つであることを特徴とするゴルフクラブセット。
【請求項３】
請求項１において、前記ゴルフクラブセットはアイアン又はユーティリティクラブセットであって、
前記基準クラブは、クラブ長さが３９〜３７．５インチのクラブの中の一つであることを特徴とするゴルフクラブセット。
【請求項４】
請求項１において、前記ゴルフクラブセットはアイアン又はユーティリティクラブセットであって、
前記基準クラブは、ロフト角が１５〜２３度のクラブの中の一つであることを特徴とするゴルフクラブセット。
【請求項５】
請求項１において、ゴルフクラブセットはアイアンクラブセットであって、前記基準クラブは、５〜７番アイアンの中の一つであることを特徴とするゴルフクラブセット。
【請求項６】
請求項１において、ゴルフクラブセットはアイアン又はユーティリティクラブセットであって、前記基準クラブは、クラブ長さが３７．５〜３６インチのクラブの中の一つであることを特徴とするゴルフクラブセット。
【請求項７】
請求項１において、ゴルフクラブセットはアイアン又はユーティリティクラブセットであって、前記基準クラブは、ロフト角が２３〜３８度のクラブの中の一つであることを特徴とするゴルフクラブセット。
【請求項８】
請求項１ないし７のいずれか１項において、前記オフセット量の絶対値は、前記基準クラブとの番手又はロフト角の差が多くなるほど大きいことを特徴とするゴルフクラブセット。
【発明の詳細な説明】
【技術分野】
【０００１】
本発明は、ゴルフクラブセットに係り、特に、番手が異なる複数本のアイアン又はユーティリティクラブよりなるゴルフクラブセットに関する。
【背景技術】
【０００２】
ゴルフクラブヘッドとシャフトの連結位置について、ゴルフ規則の付属規則IIのクラブの項に、パターを除き、クラブのヒール部分は、シャフトの「まっすぐな部分」の軸線と意図するプレーの線（水平方向）で作る平面より０．６２５インチ以内にすべて収まらなければならないと規定し、ヒールから計ったシャフト軸のトウーヒール方向の連結位置を明示して制限しているが、それに直角な飛球線方向については特に規定していない。
【０００３】
一方、設計と製造の場では、飛球線方向でのヘッドに対するシャフトの位置をフェースプログレッション、あるいはホーゼルオフセット（一般にグースといわれている）で表現し、レートヒットや弾道への影響、さらには球の捕まり等々の効果と結びつけ、設計因子や製造品質チェック項目として利用してきた。
【０００４】
この飛球線方向のヘッドに対するシャフトの位置に関しては、セット内でのフェースプログレッションやホーゼルオフセットの流れを規定したものが多い。たとえば特開２０００−９３５６０号公報には、最小の番手のクラブから最大の番手のクラブに向かって、即ち、ロングアイアンからショートアイアンに向ってフェースプログレッションが順次小さくなるように構成されているアイアンゴルフクラブセットが記載されている（同号公報図３）。
【０００５】
なお、同号公報におけるフェースプログレッションＦＰは、当該クラブの飛球線方向に向けられ、かつ、ホーゼル及びシャフトＳの中心軸線を通る平面Ｐとリーディングエッジｅとの水平距離である（同号公報０００３段落及び図２。なお、この図２を第２図として本書に添付する。）。
【０００６】
同号公報の従来技術の欄には、このＦＰ値がすべてのクラブで同一である先行技術Ｉと、ロングアイアンからショートアイアンに向ってＦＰ値が順次大きくなる先行技術IIとが記載されている（同号公報０００５段落及び図４）。
【特許文献１】特開２０００−９３５６０号
【発明の開示】
【発明が解決しようとする課題】
【０００７】
上記特開２０００−９３５６０のように前記面Ｐとリーディングエッジとの水平距離としてＦＰを定義した場合、リーディングエッジの先端が第２図の如く尖鋭であるときと、第３図のように面取りしたり丸み付けしたときとでは、クラブヘッドの実質的なボールヒット特性に変わりはないにも拘らず、ＦＰ値が著しく相違することになる。（なお、面取りの幅を変えることによっても、ＦＰ値は変わる。）そのため、このＦＰ値は、クラブヘッドの技術的特性の指標値として、技術的正確さを欠くことになる。
【０００８】
本発明は、このような問題点を解決し、リーディングエッジの形状の如何を問わず、シャフトとフェース面との位置関係を正確に定義し、且つインパクトのタイミングをゴルフプレーヤーのスイングの癖に対応して適切なものとすることができるゴルフクラブセットを提供することを目的とする。
【課題を解決するための手段】
【０００９】
本発明（請求項１）のゴルフクラブセットは、番手が大きくなるほどロフト角が大きくなる複数本のクラブよりなるアイアン又はユーティリティゴルフクラブセットにおいて、番手の途中の１本のクラブ（以下、基準クラブという。）は、下記に定義されるオフセット量がほぼゼロであり、それよりも番手又はロフト角が小さいクラブはオフセット量が正であり、それよりも番手が大きいクラブはオフセット量が負であることを特徴とするものである。
［オフセット量の定義：シャフトの軸心を含み飛球線方向と直交する面と、水平面上にソールした状態のヘッドフェース面と該水平面上のゴルフボールとの接触点との距離であり、該接触点が該面よりも飛球線方向前方にある場合を負とし、後方にある場合を正とする。］
【００１０】
本発明におけるオフセット量の定義について第１図を参照して説明する。
【００１１】
第１図の通り、水平面上に直接４２．７ｍｍのゴルフボールが置かれている。また、この水平面上にゴルフクラブのヘッドがソール状態でおかれている。このとき、クラブのシャフトは、その軸心線が鉛直面内に存在している。フェースは、コルゲーション（フェース面の横長方向の溝）が水平となるように、且つフェース面と垂直な飛球線方向が上記シャフト軸心線を含む鉛直面と直交方向となるようにセットされる。この状態で、ボールをフェース面に接近させ、ボールが最初にフェース面に当った点を接触点とする。オフセット量は、シャフトの軸心線を含み且つ飛球線と直交方向の鉛直面Ａと、この接触面との間の距離として定義される。オフセット量が負であるとは、接触点が面Ａよりもフェース前方にあることを意味し、オフセット量が正であるとは、接触点が面Ａよりも後方にあることをいう。
【００１２】
参考までに、ロフト角３０度の５番アイアンと、直径４２．７ｍｍのゴルフボールの場合、接触点は、水平面から１０．６７５ｍｍの高さにある。
【００１３】
なお、この接触点を、以下、『幾何学的ボール接触点』ということがある。
【００１４】
請求項２のゴルフクラブセットは、請求項１において、ゴルフクラブセットはアイアンクラブセットであって、前記基準クラブは、２〜４番アイアンの中の一つであることを特徴とするものである。
【００１５】
請求項３のゴルフクラブセットは、請求項１において、前記ゴルフクラブセットはアイアン又はユーティリティクラブセットであって、前記基準クラブは、クラブ長さが３９〜３７．５インチのクラブの中の一つであることを特徴とするものである。
【００１６】
請求項４のゴルフクラブセットは、請求項１において、前記ゴルフクラブセットはアイアン又はユーティリティクラブセットであって、前記基準クラブは、ロフト角が１５〜２３度のクラブの中の一つであることを特徴とするものである。
【００１７】
請求項５のゴルフクラブセットは、請求項１において、ゴルフクラブセットはアイアンクラブセットであって、前記基準クラブは、５〜７番アイアンの中の一つであることを特徴とするものである。
【００１８】
請求項６のゴルフクラブセットは、請求項１において、ゴルフクラブセットはアイアン又はユーティリティクラブセットであって、前記基準クラブは、クラブ長さが３７．５〜３６インチのクラブの中の一つであることを特徴とするものである。
【００１９】
請求項７のゴルフクラブセットは、請求項１において、ゴルフクラブセットはアイアン又はユーティリティクラブセットであって、前記基準クラブは、ロフト角が２３〜３８度のクラブの中の一つであることを特徴とするものである。
【００２０】
請求項８のゴルフクラブセットは、請求項１ないし７のいずれか１項において、前記オフセット量の絶対値は、前記基準クラブとの番手又はロフト角の差が多くなるほど大きいことを特徴とするものである。
【発明の効果】
【００２１】
ゴルフクラブのように長い柄（シャフト）の先端に仕事をするヘッドがあるような道具を使う場合、使い手は、柄の軸の延長線上で仕事をするイメージがある。したがって、シャフト軸の延長線上に仕事をする点が来るようにすればイメージと現実が一致して、良い結果が生まれることは想像に難くない。ゴルフヘッドにおいては、仕事をする点はインパクトポイントである。インパクトポイントは、フェアウェイ上のボールをジャストミートする際には、第１図の接触点となる。このとき、オフセット量がゼロであれば、このクラブをオフセット量がゼロの基準クラブとする。
【００２２】
ゴルフクラブにあっては、グースが大きいクラブヘッドほどスライス矯正効果が大きい。これは、通常のイメージではスライスとなるスイングでも、グースネックによってインパクトを時間的に遅らせることが可能となり、この遅れた時間の間に手首のローリングが進み、フェースがスクウェアとなってインパクトするからである。
【００２３】
一方、幾何学的ボール接触点がシャフト軸心線を含み飛球的方向と垂直な前記第１鉛直面よりも前方に位置するようにプレグレッション気味にクラブヘッドを作ると、プログレッションが大きいクラブヘッドほどスライス促進効果が大きい。どちらの場合も、アドレスでフェースをスクウェアに合わせているにも拘わらず、インパクトのイメージはシャフト軸線上にあり、プログレッションヘッドではインパクトがイメージより早いためにフェースがスクウェアになる前に、インパクトを迎えるためにスライスとなり、グースネックヘッドではインパクトを迎えるタイミングが、イメージより遅いためにフェースがスクウェアを過ぎた後にインパクトが生じるためにフックとなる。
【００２４】
オフセット量がゼロであることがスライスとフックの境であるかどうかはゴルファーによってさまざまであるが、少なくともこの辺りにあるであろう事は想像でき、これをプログレッションまたはオフセットゼロ点とし基準とすれば、ゴルフクラブヘッドとシャフトの連結に伴う両者の飛球線方向の位置関係を弾道や球の捕まり等々と関連付ける基準になる。したがって、低い番手から高い番手にかけてプログレッションまたはホーゼルオフセットが徐々に変化するゴルフクラブセットにおいて、プログレッションまたはオフセットゼロとなるロフトやクラブ長さが異なるセットを提供することによって、スライスやフックに悩むさまざまなゴルファーにフィットするゴルフクラブセットを提供することが出来る。
【発明を実施するための最良の形態】
【００２５】
以下、本発明の実施の形態について詳細に説明する。
【００２６】
第１の実施の形態は、ロングアイアンのスライスに悩むゴルファーに好適なアイアンゴルフクラブセットである。
【００２７】
このゴルフクラブセットにおいては、２〜４番アイアンの中の一つの番手にオフセットゼロとなる基準クラブを有し、この基準クラブより低い番手のクラブが正のオフセット量（シャフト軸に対してフェースが飛球線の後方に進む）、この基準クラブより高い番手のクラブが負のオフセット量（シャフト軸に対してフェースが飛球線の方向に進む）となるよう構成されている。
【００２８】
インパクトは、幾何学的ボール接触点で発生し、インパクト時にフェースの面方向が右を向いているためにスライス、インパクト時にフェースの面方向が左を向いているためにフックとなる。
【００２９】
第１の実施の形態は、ロングアイアンのスライスに悩むゴルファーに対するもので、たとえば、２番と３番アイアンがスライスするゴルファーの場合には、３番アイアンのオフセットをゼロとし、２番アイアンを正のオフセットとすることにより、２番アイアンのインパクトのタイミングがさらに遅れ、インパクト時のフェースがフック気味となってボールを捕らえ、２番アイアンのスライスを防ぐことが出来る。一方、４番アイアンより番手の大きいアイアンクラブには、オフセット量を負とすることにより、インパクトのタイミングを早め、４番アイアンより大きい番手のアイアンクラブのフックや引っかけなどのショットを防ぐことが出来る。
【００３０】
ロングアイアンのスライスに悩むゴルファーの場合、スライスの原因は、クラブ長さの場合と低ロフトの場合がある。
【００３１】
クラブ長さが原因の場合は、第２の実施の形態として、クラブ長さが３９〜３７．５インチのアイアンの中の一つの番手にオフセットゼロとなるクラブを有し、そのクラブより長い番手のクラブが正のオフセット量、そのクラブより短い番手のクラブが負のオフセット量となるアイアンクラブやウッド形状のユーティリティを含むクラブセットが好適である。
【００３２】
クラブロフト角が原因の場合は、第３の実施の形態として、ロフト角が１５〜２３度のクラブの中の一つの番手にオフセットゼロとなる基準クラブを有し、この基準クラブより低いロフト角のクラブが正のオフセット量、この基準クラブより高いロフト角のクラブが負のオフセット量となるアイアンクラブやウッド形状のユーティリティを含むクラブセットが好適である。
【００３３】
ロングアイアンとミドルアイアンのスライスに悩むゴルファーに対しては、第４の実施の形態として、５〜７番アイアンの中の一つの番手にオフセットゼロとなる基準クラブを有し、この基準クラブより低い番手のクラブが正のオフセット量、この基準クラブより高い番手のクラブが負のオフセット量となるアイアンクラブセットが好適である。
【００３４】
たとえば、２番、３番、４番、５番、６番アイアンがスライスするゴルファーの場合には、６番アイアンのオフセットをゼロとし、２番、３番、４番、５番アイアンを正のオフセットとすることにより、２番、３番、４番、５番アイアンのインパクトのタイミングがさらに遅れ、インパクト時のフェースがフック気味となってボールを捕らえ、２番、３番、４番、５番アイアンのスライスを防ぐことが出来る。一方、６番アイアンより番手の大きいアイアンクラブには、オフセット量を負とすることにより、インパクトのタイミングを早め、６番アイアンより大きい番手のアイアンクラブのフックや引っかけなどのショットを防ぐことが出来る。
【００３５】
ロングアイアンとミドルアイアンのスライスに悩むゴルファーの場合、スライスの原因は、クラブ長さの場合と低ロフトの場合がある。
【００３６】
クラブ長さが原因の場合は、第５の実施の形態として、クラブ長さが３７．５〜３６インチのクラブの中の一つの番手にオフセットゼロとなる基準クラブを有し、この基準クラブより長い番手のクラブが正のオフセット量、この基準クラブより短い番手のクラブが負のオフセット量となるアイアンクラブやウッド形状のユーティリティを含むクラブセットが好適である。
【００３７】
クラブロフト角が原因の場合は、第６の実施の形態として、ロフト角が２３〜３８度のクラブの中の一つの番手にオフセットゼロとなる基準クラブを有し、この基準クラブより低いロフト角のクラブが正のオフセット量、この基準クラブより高いロフト角のクラブが負のオフセット量となるアイアンクラブやウッド形状のユーティリティを含むクラブセットが好適である。
【００３８】
これらの第５、第６の実施の形態において、オフセット量ゼロの基準クラブよりも低ロフト角のクラブでは、インパクトのタイミングがさらに遅れ、インパクト時のフェースがフック気味となってボールを捕らえ、スライスを防ぐことができる。一方、基準クラブよりも高いロフト角のクラブでは、オフセット量を負とすることにより、インパクトのタイミングを早め、フックや引っかけなどを防ぐことができる。
【００３９】
第１〜第６の実施の形態のいずれにおいても、基準クラブからの番手又はロフト角の差が大きくなるほど、オフセット量の絶対値を大きくするのが好ましい。
【００４０】
ゴルフクラブセットの場合、１番手の差によるオフセット量の絶対値の差は１ｍｍ以下、たとえば０．３〜１ｍｍ程度が好適である。
【００４１】
なお、基準クラブのオフセット量がほぼゼロであるとは、オフセット量がゼロ±０．５ｍｍの範囲にあることをいう。
【実施例】
【００４２】
以下、実施例について説明する。
【００４３】
［請求項２〜４，８の実施例］
下記表１の通り、３番アイアンを基準クラブとした。このゴルフクラブセットにより、ロングアイアンのスライスに悩むゴルファーの悩みが改善された。
【００４４】
【表１】
2009106353.tif 000003
【００４５】
［請求項５〜７，８の実施例］
下記表２の通り、５番アイアンを基準クラブとした。このゴルフクラブセットにより、ロングアイアン及びミドルアイアンのスライスに悩むゴルファーの悩みが改善された。
【００４６】
【表２】
2009106353.tif 000004
【図面の簡単な説明】
【００４７】
【図１】本発明のゴルフクラブセットのオフセット量の説明図である。
【図２】従来例の説明図である。
【図３】従来例の説明図である。
【符号の説明】
【００４８】
Ａ  シャフト軸心線を含み飛球線と垂直な鉛直面
Ｓ  シャフト
ｅ  リーディングエッジ
【図１】
2009106353.tif 000005
【図２】
2009106353.tif 000006
【図３】
2009106353.tif 000007